(57)【要約】【課題】筐体のベース部に複数個の脚を有する電話機において、取付の手間がなく、壁掛け使用した場合においても電話機に取り付けられたケーブルが目障りにならず、且つ卓上及び壁掛け使用の両方の使用においても使い勝手の良い電話機を提供すること。【解決手段】電話機の手前側に設置される前脚２ａ（２ｂ）は筐体１に対して可動する可動ベース１５を有し、前記筐体１内部のベース部には回動可能に支持部１２により支持された「く」の字状のアーム１１を備え、このアーム１１の一端には錘１０を固着し、他端には前記電話機の前脚２ａの可動ベース１５を結合した支持ロッド１８を装着してなり、電話機の設置角度によって前記錘１０により前記アーム１１が回動し、前記支持ロッド１８に結合された前脚２ａが筐体１に対して突出入するようになした。【選択図】      図４
2005020421.tif 000002
【特許請求の範囲】
【請求項１】
筐体のベース部に複数個の脚を有する電話機において、電話機の手前側に設置される前脚は筐体に対して可動する可動ベースを有し、
前記ベース部の筐体内部には回動可能に支持部により支持された「く」の字状のアームを備え、
該アームの一端には錘を固着し、他端には前記電話機の前脚の可動ベースを結合した支持ロッドを装着してなり、電話機の設置角度によって前記錘により前記アームが回動し、前記支持ロッドに結合された前脚が筐体に対して突出入するように構成したことを特徴とする脚部自動突出入構造を有する電話機。
【請求項２】
前記可動ベースは、ばね体と、可動ベースを固定するロック部材とからなる結合手段を介して複数の突起を有する支持ロッドに結合されていることを特徴とする請求項１に記載の脚部自動突出入構造を有する電話機。
【請求項３】
前記支持部は、電話機が水平に設置された時には前記錘によって前記アームをベース方向に回動させて支持ロッドを上向きに作動させ、電話機が壁掛け位置に設置された時には前記アームを上向きに回動させて支持ロッドをベース方向に作動させる位置に設けられていることを特徴とする請求項１又は２に記載の脚部自動突出入構造を有する電話機。
【請求項４】
前記支持ロッドが上向きに作動し、可動ベースが筐体に突入した時に、該可動ベースを一定の位置以上突入しないように可動ベース側面にストッパーを設けたことを特徴とする請求項３に記載の脚部自動突出入構造を有する電話機。
【発明の詳細な説明】
【０００１】
【発明の属する技術分野】
本発明は、卓上式あるいは壁掛け式で使用することのできる電話機に関し、特に電話機の角度及び高さを調節する脚部自動突出入構造を有する電話機に関する。
【０００２】
【従来の技術】
近年の電話機市場は、卓上型としても壁掛け型としても使用できる卓上・壁掛け兼用型の電話機が多く普及しており、その中でも、卓上での使い勝手の良い電話機が要求されている。上記の要望に対して、現在の卓上式電話機は、電話機自体に角度を付け、電話機筐体の上面が奥から手前に向かって低くなるようにし、以って電話機の上面に配置されている液晶表示機あるいはプッシュボタンを見やすくしているものが一般に流通している。
【０００３】
ところで従来の卓上・壁掛け兼用型の電話機に関しては、壁掛け型としても兼用されるため、上記の卓上式電話機のように予め電話機に角度をつけておくことはあまりない。それは卓上型に適するように電話機の上面に傾斜がつけられると、壁掛け使用をしたい場合にハンドセットが落下する危険性があるためである。そのため、従来の卓上・壁掛け兼用型の電話機を卓上使用する際には、電話機筐体の底面に別部品として形成されている角度変更台をねじ止め等にて取り付ける方法がとられている。また、この電話機を壁掛け使用する際には、卓上使用の場合とは別の壁掛け用部品を用いて電話機自体の傾斜を相殺するようにしている。
【０００４】
しかし、このような構成である場合、卓上あるいは壁掛け使用する際の両方に別部材を用いるような構成になってしまうことから、別部材を取り付ける手間や、この部材の保管など、種々の問題が発生していた。一方、上記のような問題点を解決するため、下記の特許文献１には同一の取付台のみを用い、取付方向を変えて嵌合させ、角度を可変するようになした電話機が開示されている。
【０００５】
すなわち、特許文献１に開示された電話機は、電話機に設けた取付部に取付台を取り付けて前記電話機の操作面の角度を変化させる角度可変電話機において、前記取付台は嵌合部を有し、前記電話機の底面に前記嵌合部と嵌合して前記取付台を保持する保持部を複数有することを特徴としており、前記電話機の底面は、前記電話機の上部を高く下部を低く形成した取付部を有し、前記取付台は、前記取付部を覆う形状に形成され、さらに前記嵌合部は前記取付台の上部及び下部に形成され、前記保持部は、前記取付台が前記取付部を覆って取り付けられたときに前記嵌合部と嵌合する位置及び、前記取付部の高い部分に前記嵌合部の何れか一方が保持される位置に形成されることを特徴としている。
【０００６】
この点について更に詳しく述べると、図７は特許文献１に開示された角度可変式電話機を卓上で使用する場合の側面図である。電話機筐体５１の保持部５３ｃに嵌合部５４ｂを嵌合させ、更に嵌合部５４ａの弾性部をたわませて保持部５３ｄに嵌合させる。この電話機を卓上に置くと、図７に示すように、電話機筺体５１の底面の取付部５１ａの高い部分の高さに、取付台５２のコーナ部による高さが加わり、ラバー５５が卓上に接触して電話機の傾斜が急な状態で安定する。
【０００７】
次にこの電話機を壁掛け電話機として使用する場合を説明する。図８は特許文献１に開示された角度可変式電話機を壁掛けとして使用する場合の側面図を示す。取付台５２には壁掛け用ねじ穴が設けられている。取付台５２を嵌合部５４ａ側を下に、嵌合部５４ｂ側が上になるように電話機を設置し、取付台５２を壁面にねじ止めする。次に取付台５２に電話機筺体５１を嵌合させる。筺体５１の保持部５３ｄに嵌合部５４ｂを嵌合させ、さらに嵌合部５４ａの弾性部をたわませて保持部５３ｃに嵌合させる。そうすると、図８に示すように、電話機筺体５１の底面の取付部５１ａの高い部分と取付台５２のコーナ部とは同じ角度を有するので、電話機筺体５１の傾斜はほぼ相殺され、壁掛け電話機として使用するときにはラバー５５が壁面に接触して電話機が壁面に対して水平な状態で安定する。
【０００８】
【特許文献１】
特開平０８−７９３５０（請求項１〜２、段落［００１４］〜［００１５］、図５、６）
【０００９】
【発明が解決しようとする課題】
しかしながら、上記特許文献１に記載されているような角度可変電話機であっても、壁掛けとして使用する場合、壁に掛けた状態では、企業等の内線使用を行う場合は、電話機の後部にはＬＡＮ（Ｌｏｃａｌ  Ａｒｅａ  Ｎｅｔｗｏｒｋ）ケーブル、あるいはモジュラーケーブルが差し込まれているので、それを下方に引き出すのに非常に邪魔になり、電話機の使い勝手を悪くしていた。また、上記のような構成ではケーブルを目立たないようにすることは出来なかった。
【００１０】
更に、前記特許文献１に記載の角度可変電話機においては、使用用途に応じて、適宜取付台を取付し直さなくてはならないという手間があり、取付が面倒であった。
【００１１】
上記のような問題点に鑑みて、本発明者は、企業や一般家庭等で使用する電話機において、卓上及び壁掛け使用が可能で、卓上使用においても、壁掛け使用においても使いやすく、なおかつ壁掛け使用を行う場合にできるだけ上記ケーブル類が邪魔にならないような電話機の構造を種々検討した結果、電話機の脚部に自動突出入機構を取り付けると、電話機の角度及び高さを自動で調節できるようになり、それによってできた隙間にケーブルを隠すことができることを見出し、本発明を完成するに至ったものである。
【００１２】
すなわち、本発明の目的は、卓上・壁掛け兼用型の電話機において、どちらの使用用途においても使い勝手が良く、かつ、壁掛け使用の際にはモジュラーケーブル等のケーブルが邪魔にならないような電話機を提供することにある。
【００１３】
【課題を解決するための手段】
上記課題を解決するために、本発明の第１の実施態様によれば、筐体のベース部に複数個の脚を有する電話機において、電話機の手前側に設置される前脚は筐体に対して可動する可動ベースを有し、前記ベース部の筐体内には回動可能に支持部により支持された「く」の字状のアームを備え、該アームの一端には錘を固着し、他端には前記電話機の前脚の可動ベースを結合した支持ロッドを装着してなり、電話機の設置角度によって前記錘により前記アームが回動し、前記支持ロッドに結合された前脚が筐体に対して突出入するように構成したことを特徴とする脚部自動突出入構造を有する電話機が提供される。
【００１４】
かかる構成によれば、前脚の長さを適宜変更させることにより、電話機に所定の角度がつけられ、使用をより快適に使用することができるようになり、加えて、電話機の設置角度によって自動で角度調整が行われるようになされているため、設置箇所の移動に伴って、設置角度が変更された場合においてもいちいち角度を調整する手間がなくなる。
【００１５】
また、かかる構成において、前記可動ベースは、ばね体と、可動ベースを固定するロック部材とからなる結合手段を介して複数の突起を有する支持ロッドに結合されたことを特徴とする脚部自動突出入構造を有する電話機が提供される。このような構成となせば、「く」の字状アームに取り付けられた錘の重さに加えて、ばね体の弾性力がベース方向にかかるため、電話機にかかる自重及び、電話機使用時にプッシュボタンが押されて生じる押圧などの力に対して、前脚が押され、必要以上に突入することを防止することができる。
【００１６】
更に、かかる構成において、前記支持部は、電話機が水平に設置された時、前記錘によって前記アームをベース方向に回動させ、支持ロッドを上向きに作動させ、電話機が壁掛け位置に設置された時、前記アームを上向きに回動させ、支持ロッドをベース方向に作動させる位置に設けられたことを特徴とする脚部自動突出入構造を有する電話機が提供される。
【００１７】
このような構成となせば、電話機を卓上使用する際には前方に向かって電話機が傾くことにより電話機の上面に設置された液晶表示機及びプッシュボタンが見やすくなり、電話機を壁掛け使用する際には電話機上面が壁とほぼ平行になり、ハンドセットの落下を防止することができるようになるほか、前後の脚がある程度の長さを有していることにより、電話機後部に取り付けられたケーブル（ＬＡＮケーブル又はモジュラーケーブル）を電話機と壁との隙間を通すことが可能となり、目障りなケーブルを目立たなくすることができるようになる。
【００１８】
更にまた、かかる構成において、前記支持ロッドが上向きに作動し、可動ベースが筐体に突入した時に、この可動ベースを一定の位置以上突入しないように可動ベース側面にストッパーを設けたことを特徴とする脚部自動突出入構造を有する電話機が提供される。このような構成となせば、卓上使用時の電話機の傾きをストッパーの位置を適宜変化させることにより調整することが可能となり、また、卓上使用の際の電話機にかかる自重及び、電話機使用時にプッシュボタンが押されて生じる押圧などの力を支える効果も奏するようになる。
【００１９】
【発明の実施の形態】
以下に本発明の好適な実施形態について述べる。しかし、以下の実施形態はあくまで実施の一形態を示しているのみであり、本発明の権利範囲は特許請求の範囲に記載された内容を参照すべきである。
【００２０】
本発明の実施形態を図面を参照して以下に詳細に説明する。図１は本発明の脚部自動突出入構造を有する電話機筐体を筐体裏面から見た全体斜視図であり、図２は本発明の脚部自動突出入構造を有する電話機筐体の側面図である。
【００２１】
図１及び２において、電話機筐体１は、筐体底部に有する脚２ａ〜２ｄと、ハンドセット３と、プッシュボタン４と、ケーブル差込口５を有し、上記脚は少なくとも３つ以上で、なおかつ少なくともＬＡＮケーブルあるいはモジュラーケーブル等の太さ（約２ｍｍ〜１０ｍｍ）よりも長いこととし、本実施形態においては、脚は４本とし、前脚２ａ、２ｂ及び後脚２ｃ、２ｄによって筐体を支持している電話機とする。
【００２２】
また、本発明の脚部自動突出入構造は、前脚２ａ、２ｂに関してのみ備えており、後脚２ｃ、２ｄは脚の長さを変化させる必要はなく、一定の長さで電話機筐体１と一体とするようになす。加えて、本実施形態では脚の形状が円筒形状のものについて説明するが、脚の形状は電話機筐体１を支えることが可能で、上述したある程度の長さを有するものであればどのような形状であっても良い。
【００２３】
そして、上記前脚２ａあるいは２ｂの自動突出入構造は、電話機筐体１を卓上使用する際には、前脚２ａあるいは２ｂは電話機筐体１内に突入し、以って前脚２ａあるいは２ｂは短くなり、電話機筐体１を壁掛け使用した際には、前脚２ａあるいは２ｂは電話機筐体１外部に突出するようになし、以って前脚２ａあるいは２ｂは長くなるような構成となっている。
【００２４】
以下に上記脚部自動突出入構造を有する電話機について、詳細に説明する。
図３は図２のＡ−Ａ線に沿った前脚２ａの断面図であり、図４は本発明の脚部自動突出入構造を有する電話機を卓上使用した場合の前脚２ａの断面図であり、図５は、本発明の脚部自動突出入構造を有する電話機を壁掛け使用した場合の前脚２ａの断面図であり、図６は図４の卓上使用した電話機の前脚２ａあるいは２ｂの結合手段に関しての詳細図である。ちなみに図４、図５は図３におけるＢ−Ｂ線に沿った断面図であり、加えて前脚２ａ及び２ｂは同様の構成をなしていることから、図中では２ａの断面図のみを説明する。
【００２５】
まず、図３〜５において、本発明の電話機筐体１の内部は、脚部自動突出入構造を構成する少なくとも錘１０、「く」の字状のアーム１１、アーム支持部１２、上部突起１３、下部突起１４、可動ベース１５、ロック部材１６、トーションばね１７、支持ロッド１８、可動ベース１５のストッパー２０から構成され、電話機筐体１上部に向かって「く」の字状に屈曲したアーム１１は、一端には錘１０を有し、アーム１１の屈曲部を支持し、アーム１１の回動運動の支点となるアーム支持部１２を介して、他端には支持ロッド１８が上下動可能に装着され、支持ロッド１８に一定の範囲で上下に可動式の可動ベース１５が結合されている。
【００２６】
ちなみに支持ロッド１８はアーム１１の回動運動と連動して昇降運動を行うために、アーム１１との結合部とその周辺は一定の可撓性を有する遊びが設けてあり、横方向へのずれを打ち消すようになされている。また、「く」の字状アーム１１と可動ベース１５の間には、可動ベース１５にアーム１１の回動運動を伝える支持ロッド１８を有し、支持ロッド１８には上下動を制御する上部突起１３および下部突起１４がそれぞれ接続され、上下突起１３、１４を有する支持ロッド１８は、アーム１１の回動運動を可動ベース１５を上下動させるように、昇降運動に変換し、可動ベース１５のガイドピン１９に沿って上下動するようになされている。
【００２７】
また、図６において、可動ベース１５と支持ロッド１８の間には結合手段として、ロック部材１６と、トーションばね１７を備えており、ロック部材１６は可動ベース１５にロック部材支持部３０によって上記トーションばね１７と一体に備えつけられ、なおかつロック部材１６は少なくとも筐体支持端部１６ａ、下部突起支持端部１６ｂ、トーションばね支持端部１６ｃ、上部突起支持端部１６ｄを有している。
【００２８】
上記トーションばね１７は、ロック部材１６と一体に備えつけられ、一端は可動ベース１５に支持され、他端はロック部材１６のトーションばね支持端部１６ｃに支持されている。このトーションばね１７の弾性方向は、ロック部材１６の筐体支持端部１６ａが可動ベース１５の側面方向に突出するように、ロック部材１６が可動ベース１５側面方向に回動するような方向に作用している。上記のようにロック部材１６の筐体支持端部１６ａが可動ベース１５側面より外部へ押し出されると、筐体支持端部１６ａは前脚２ａ付近の電話機筐体１のベース部分を支持し、さらにロック部材１６の回動が進むと、筐体支持端部１６ａが筐体１のベース部に接合されることにより、ロック部材１６が取り付けられた可動ベース１５をこの筐体１と筐体支持端部１６ａの接合部を支点として電話機ベース方向への押し出し作用が生じる。
【００２９】
次に図４を参照して、本発明の電話機筐体１を卓上式で使用する場合の前脚２ａ及び２ｂの状態を以下に説明する。
【００３０】
前脚２ａは、卓上使用する場合、上記アーム１１はその一端に有する錘１０の作用により、錘１０を有する端部が下方に回動され、それによって支持ロッド１８を装着している他端が上方に回動される。アーム１１の他端に接続された支持ロッド１８はアーム１１の他端が上方に回動されることに伴って上方に持ち上げられ、それによって支持ロッド１８に一体に備えつけられている上下突起１３、１４も持ち上げられる。この持ち上げられた下部突起１４は持ち上げられる際にロック部材１６のトーションばね支持端部１６ｃを持ち上げ、それによってロック部材１６は、ロック部材支持部３０を中心に回動運動を行い、筐体支持端部１６ａを前脚２ａ内部に収納する。
【００３１】
また、可動ベース１５の側面には、前脚２ａがある一定の長さ以上短くならないように、最も可動ベース１５が短くなる位置に設定した部分にベースのストッパー２０を備えている。
【００３２】
このような構成により、電話機筐体１を卓上で使用する場合、前脚は電話機筐体の内部に突入し、結果電話機筐体の外に出ている前脚は短くなる。このように前脚が短くなることにより、後脚は一定の長さであるため、電話機筐体自身に傾斜が生まれ、卓上使用に適した形状で使用することが可能となる。ちなみに、この傾斜は後脚あるいは前脚のストッパー位置を変化させることにより適宜変更可能である。
【００３３】
次に図５を参照して電話筐体１の壁掛け使用時における前脚２ａあるいは２ｂの構成ついて説明する。電話機筐体１を壁掛け使用した場合は、「く」の字状のアーム１１の先端に取り付けられた錘１０により、アーム１１が電話機筐体１の上面方向に回動する。これにより、アーム１１の他端が電話機筐体１のベース方向に回動することによって押し下げられ、このアーム１１の他端に取り付けられた支持ロッド１８を押し下げる。
【００３４】
支持ロッド１８には上下部突起１３、１４が取り付けられており、卓上使用を行った場合はこの下部突起１３が、トーションばね１７の弾性力を支える支持部材の働きをなしていた。壁掛け使用に際して下部突起１４は、支持ロッド１８と共にベース方向に押し下げられることによってロック部材１６と共にトーションばね１７の支持も外れ、トーションばね１７の弾性力が上述のように可動ベース１５の突出作用を行うと共に、下部突起１３自体もロック部材１６を押し下げ、それによっても可動ベースは突出されるような構造となっている。
【００３５】
また、上部突起１３は、支持ロッド１８の押し下げと共にベース方向へ移動し、回動運動を行っているロック部材１６の上部突起支持部１６ｄに嵌合するようになっている。つまり上部突起１３は、壁掛け使用を行った際のロック部材１６の回動運動を一定の位置で支持する支持部材であり、支持ロッド１８に取り付ける高さや、ロック部材１６の大きさを適宜変更することにより、ロック部材１６の回動運動を制御し、以って壁掛け使用時の可動ベース１５の突出長さを設定することができるようになっている。
【００３６】
このロック部材１６が回動することにより、筐体支持端部１６ａは前脚２ａの外部に突出し、筐体支持端部１６ａは電話機筐体１の前脚２ａ周辺を押すことにより可動ベース１５を突出させるので、可動ベース１５の突出長さは上部突起１３がロック部材１６の上部突起支持端部１６ｄと嵌合する位置まで押し出される。
【００３７】
このような構成により、上記電話機筐体１を壁掛け使用した際においては前脚が電話機筐体外部に一定の長さ突出して、後脚と同程度の長さあるいは電話機筐体の上面の傾斜が垂直に近くなる程度に長くなることによりハンドセットが落下することがなくなり、更に電話機筐体と電話機を設置する壁との間に隙間を生じることにより電話機筐体の後部に有するケーブル挿入口に差し込まれたＬＡＮケーブルあるいはモジュラーケーブル等のケーブル２１を、上記壁と電話機筐体の隙間を下方向に向かって通すことが可能となり、壁掛け使用した場合においてもケーブルが目障りではなくなり、以って使い勝手が良くなる。ちなみに、上記前脚２ａの突出長さは、「く」の字状に屈曲したアーム１１の屈曲角度や、ロック部材１６の大きさ、上部突起１３の取付位置等を適宜変化させることにより調整が可能である。
【００３８】
【発明の効果】
以上述べたとおり、本発明によれば電話機を水平に置いた場合には前方が低く、後方が高くなって電話機上面の液晶表示機等が見やすくなり、電話機を垂直にして使用する際には、電話機上面が垂直に保たれるのでハンドセットの落下が防止され、さらに電話機のベース部前方の脚が長くなることによって生じる電話機底面の隙間にケーブルを通すことができ目障りなケーブルを目立たなくすることができるようになるので、以って電話機を卓上あるいは壁掛け使用した場合のどちらにおいても使い勝手が向上する。
【図面の簡単な説明】
【図１】本発明の脚部自動突出入構造を有する電話機筐体を筐体裏面から見た全体斜視図、
【図２】本発明の脚部自動突出入構造を有する電話機筐体の側面図、
【図３】図２に記載のＡ−Ａ断面における前脚２ａの断面図、
【図４】本発明の脚部自動突出入構造を有する電話機を卓上使用した場合の前脚２ａの断面図、
【図５】本発明の脚部自動突出入構造を有する電話機を壁掛け使用した場合の前脚２ａの断面図、
【図６】図４の卓上使用した電話機の前脚２ａあるいは２ｂの結合手段を示す詳細図、
【図７】特許文献１に開示された従来例における電話機を卓上で使用する場合の側面図、
【図８】特許文献１に開示された従来例における電話機を壁掛けとして使用する場合の側面図。
【符号の説明】
１        電話機筐体
２ａ〜２ｂ  脚部
１０        錘
１１        「く」の字状アーム
１２        アーム支持部
１３        上部突起
１４        下部突起
１５        可動ベース
１６        ロック部材
１７        トーションばね
１８        支持ロッド
１９        ガイドピン
２０        ベースのストッパー
【図１】
2005020421.tif 000003
【図２】
2005020421.tif 000004
【図３】
2005020421.tif 000005
【図４】
2005020421.tif 000006
【図５】
2005020421.tif 000007
【図６】
2005020421.tif 000008
【図７】
2005020421.tif 000009
【図８】
2005020421.tif 000010